(57)【要約】【課題】着用者がフードを着用した状態でマスクを簡単容易に着脱できると共に、耳の痛みを感じさせることのないようにした防塵フードを提供する。【解決手段】頭被い部２と目出し開口部３と鼻口被い部４とを備え、鼻口被い部４は、その上辺部Ａと左右辺部Ｂ，Ｂとが頭被い部２から切り離されていて、その下辺部Ｃのところから外側へ折り曲げることにより開放可能で、この鼻口被い部４の左右両側端部の夫々内面側所要部をこれに対応する頭被い部２の外面側所要部に固定手段６を介して固定することにより閉止可能となっており、頭被い部２外面の両耳対応箇所には、前記鼻口被い部４を開いて着用者がマスク７を装着した時にそのマスク７の紐１２を掛止するための紐掛止部８が設けられている。【選択図】図４
2014237907.tif 000002
【特許請求の範囲】
【請求項１】
頭被い部と目出し開口部と鼻口被い部とを備え、鼻口被い部は、その上辺部と左右辺部とが頭被い部から切り離され、その下辺部のみが頭被い部に一体形成されていて、その下辺部のところから外側へ折り曲げることにより開放可能で、この鼻口被い部の左右両側端部の夫々内面側所要部をこれに対応する頭被い部の外面側所要部に固定手段を介して固定することにより閉止可能となっており、頭被い部外側面の両耳対応箇所には、前記鼻口被い部を開いて着用者がマスクを装着した時にそのマスクの紐を掛止するための紐掛止部が設けられている防塵フード。
【請求項２】
前記目出し開口部は、頭被い部の前頭部被い部分から側頭部コメカミ被い部分にかけて湾曲状を成す下側縁と前記鼻口被い部の上側縁との間に形成され、前記湾曲状下側縁からネズミ返しのように湾曲状に突出して着用者の両眉を被う眉被い部材が、前頭部被い部分の内面側に取り付けられている請求項１に記載の防塵フード。
【請求項３】
前記頭被い部の両耳対応箇所には、着用者がメガネを掛ける時にメガネのツルを挿入するためのメガネツル挿入部が形成され、このメガネツル挿入部は、差込口が広く、頭被い部内面側の出口が狭くなっている請求項１又は２に記載の防塵フード。
【請求項４】
前記固定手段が、スナップボタンからなる記請求項１〜３の何れかに記載の防塵フード。
【発明の詳細な説明】
【技術分野】
【０００１】
本発明は、クリーンルームなどの清浄な空間内で作業する際に着用される防塵フードに関する。
【背景技術】
【０００２】
従来の防塵フードとして、頭被い部と、目出し開口部と、通気性のある鼻口被い部（マスク部とも云う）とを備えたものが知られている（特許文献１）。この従来の防塵フードでは、鼻口被い部が頭被い部と一体的に設けられているため、着用者が鼻口被い部の内側に任意の必要とするマスクを装着しようとすれば、着用者はフードを被着する前に予めマスクを装着しておかねばならず、そうすると、途中でマスクだけを外そうとしても容易に外すことができない。また、着用者がマスクを装着した場合、マスクの紐は着用者の両耳に引っ掛けられるが、フードを被着した時に耳が頭被い部で押えられて、その紐が耳に押し付けられる状態となるため、着用者は耳に強い痛みを感じるという不快感があった。
【先行技術文献】
【特許文献】
【０００３】
【特許文献１】特開２００８−２３７３５８号公報
【発明の概要】
【発明が解決しようとする課題】
【０００４】
本発明は、上記の事情に鑑み、着用者がフードを着用した状態で任意のマスクを簡単、容易に着脱できると共に、耳の痛みを感じさせることのないようにした防塵フードを提供することを目的とする。
【課題を解決するための手段】
【０００５】
上記課題を解決するための手段を、後述する実施形態の参照符号を付して説明すると、請求項１に係る発明の防塵フードは、頭被い部２と目出し開口部３と鼻口被い部４とを備え、鼻口被い部４は、その上辺部Ａと左右辺部Ｂ，Ｂとが頭被い部２から切り離され、その下辺部Ｃのみが頭被い部２に一体形成されていて、その下辺部Ｃのところから外側へ折り曲げることにより開放可能で、この鼻口被い部４の左右両側端部の夫々内面側所要部をこれに対応する頭被い部２の外面側所要部に固定手段６を介して固定することにより閉止可能となっており、頭被い部２外面の両耳対応箇所には、前記鼻口被い部４を開いて着用者がマスク７を装着した時にそのマスク７の紐１２を掛止するための紐掛止部８が設けられていることを特徴とする。
【０００６】
請求項２は、請求項１に記載の防塵フードにおいて、前記目出し開口部３は、頭被い部２の前頭部被い部分２ａから側頭部コメカミ被い部分２ｄｋ，２ｄｋにかけて湾曲状を成す下側縁２ｏと前記鼻口被い部４の上側縁４ｏとの間に形成され、前記湾曲状下側縁２ｏからネズミ返しのように湾曲状に突出して着用者の両眉を被う眉被い部材９が、前頭部被い部分２ａの内面側に取り付けられていることを特徴とする。
【０００７】
請求項３は、請求項１又は２に記載の防塵フードにおいて、前記頭被い部２の両耳対応箇所には、着用者がメガネ１０を掛ける時にメガネ１０のツル１０ａを挿入するためのメガネツル挿入部１１が形成され、このメガネツル挿入部１１は、差込口１１ａが広く、頭被い部２内面側の出口１１ｂが狭くなっていることを特徴とする。
【０００８】
請求項４は、請求項１〜３の何れかに記載の防塵フードにおいて、前記固定手段６がスナップボタン６ａ，６ｂからなることを特徴とする。
【発明の効果】
【０００９】
上記解決手段による発明の効果を、後述する実施形態の参照符号を付して説明すると、請求項１に係る発明の防塵フードによれば、鼻口被い部４は、その上辺部Ａと左右辺部Ｂ，Ｂとが頭被い部２から切り離されて下辺部Ｃのみが頭被い部２に一体形成されていて、その下辺部Ｃのところから外側へ折り曲げることにより開放状態となり、鼻口被い部４の左右両端部の夫々内面側所要部をこれに対応する頭被い部２の外面側所要部に固定手段６を介して固定することにより閉止可能であるから、着用者がマスク７を装着する時には、鼻口被い部４を開放させて、この開放状態でマスク７を装着し、その紐１２，１２を、側頭部被い部２ｄ，２ｄ外側面にある紐掛止部８，８に夫々引っ掛け、その後に鼻口被い部４を閉止すればよく、従って着用者は、防塵フード１を被着して、両耳が隠れてしまった状態でも、マスク７を簡単、容易に装着でき、またマスク７の紐１２が耳に直接押し付けられることがないため、耳に痛みを感じるような不快感がなくなる。また鼻口被い部４は、下辺部Ｃが頭被い部２と一体を成し、閉じた状態では左右辺部Ｂ，Ｂ側の夫々内面側がこれに対応する頭被い部２の外面側所要部に重なり合うように閉止されるから、頭被い部２との隙間を出来るだけ無くして、頭髪などの外部放出を防ぐことができる。
【００１０】
請求項２に係る発明によれば、目出し開口部３は、頭被い部２の前頭部被い部分２ａから側頭部コメカミ被い部分２ｄｋ，２ｄｋにかけて湾曲状を成す下側縁２ｏと鼻口被い部４の上側縁４ｏとの間に形成され、湾曲状下側縁２ｏからネズミ返しのように湾曲状に突出して着用者の両眉を被う眉被い部材９が、前頭部被い部分２ａの内面側に取り付けられているから、この眉被い部材９により、着用者の目に支障を来すことなく、着用者の眉を完全に被うことができると共に、前髪のはみだしを防いで、頭髪や眉毛が頭被い部２の外に放出さないようにすることができる。
【００１１】
請求項３に係る発明によれば、頭被い部２の耳対応箇所には、着用者がメガネ１０を掛ける時にメガネ１０のツル１０ａを挿入するメガネツル挿入部１１が形成され、このメガネツル挿入部１１は差込口１１ａが広く、頭被い部２内面側の出口１１ｂが狭くなっているから、防塵フード１を被着したままでメガネ１０を広い差込口１１ａから容易に掛けることができると共に、メガネ１０を抜いた際に着用者の髪の毛が一緒に引っ張り出されるのを抑制できる。
【００１２】
請求項４に係る発明によると、固定手段６として、スナップボタン６ａ，６ｂを使用すれば、頭髪などが付着し難く、着脱が容易となる。尚、固定手段６としては、マジックテープ（登録商標）を使用できるが、マジックテープ（登録商標）では、面ファスナーを構成するフック状部とパイル状部とが係脱する時にそれらの一部が折損することがあり、その折損部分が異物として食品等に混入し易いこともあって、マジックテープ（登録商標）よりスナップボタン６ａ，６ｂの方が好ましい。
【図面の簡単な説明】
【００１３】
【図１】本発明に係る防塵フードの使用状態を示す正面図で、防塵フードのスカート部を防塵服の内に入れた状態で示している。
【図２】同防塵フードの使用状態を示す斜視図である。
【図３】同防塵フードの使用状態を示す斜視図で、口被い部を外側へ開いた状態を示す。
【図４】同防塵フードの口被い部を開いた状態で着用者がマスクを装着した状態を示す。
【図５】着用者がマスクを装着した後、口被い部を閉じて頭部被い部側に固定した状態を示す。
【図６】図５に示す状態を横方向から見た拡大側面図である。
【図７】眉被い部材の形成方法を説明するもので、(a) は前頭部被い部分及び眉被い部材形成用の帯状布材が収縮していない状態を前頭部被い部分の内面側から見た正面図、(b) は(a) のＸ−Ｘ線断面図、(c) はゴム紐材の弾性収縮作用により前頭部被い部分及び帯状布材が夫々収縮して変形した状態を前頭部被い部分の内面側から見た正面図、(d) は夫々収縮変態した前頭部被い部分の下端部側及び帯状布材を前頭部被い部分の外面側から見た正面図である。
【発明を実施するための形態】
【００１４】
以下に本発明の好適な一実施形態を図面に基づいて説明すると、本発明に係る防塵フード１は、図１〜図５に示すように、着用者の頭を被う頭被い部２と、目出し開口部３と、鼻口被い部４と、スカート部５とから構成されている。この場合、着用者の頭は、符号による図示説明は省略するが、前頭部（額部）、頭頂部、後頭部及び左右両側頭部からなるもので、左右両側頭部は左右両コメカミを含むものとする。尚、図１及び図５において、１３は防塵服で、この図１及び図５は、着用者が被着した防塵フード１のスカート部５側を防塵服１３内に入れた状態を示す。
【００１５】
防塵フード１の頭被い部２は、着用者の頭部全体及び両耳を被い、更に下顎から首部に至る部分まで被うように形成されるもので、前頭部被い部２ａと、頭頂部被い部２ｂと、後頭部被い部２ｃと、左右の側頭部被い部２ｄ，２ｄと、両側頭部被い部２ｄ，２ｄ間を繋ぐ首部前面被い部２ｅとによって形成され、各側頭部被い部２ｄは、側頭部コメカミ被い部分２ｄｋ及び顔面側部被い部分２ｄｇを含むものとする。この頭被い部２を形成する素材は、特に限定されないが、織物、編物、不織布、フィルム素材など、衣料品に使用可能な全てのシート状素材であってよい。また、織物、編物、不織布等に用いられる繊維も、衣料品に使用可能な全てのものを用いてよく、天然繊維、再生繊維、合成繊維、これらの混合物などが挙げられる。
【００１６】
鼻口被い部４は、図１〜図３を参照して分かるように、その上辺部Ａと左右辺部Ｂ，Ｂとが頭被い部２から切り離されていて、その下辺部Ｃでのみ頭被い部２の前記首部前面被い部２ｅで一体に繋がっており、その下辺部Ｃのところから外側へ折り曲げることによって開放させることができ、またこの鼻口被い部４の左右両側端部の夫々内面側所要部を、これに対応する頭被い部２の外面側所要部に固定手段６を介して固定することによって閉止させることができる。この鼻口被い部４は、着用者の鼻と口とを被うように方形状に形成された通気性を有するマスク部であって、上辺部Ａに沿った上辺側布部４ａと、下辺部Ｃに沿った下辺側布部４ｃと、上下両側布部４ａ，４ｃ間に形成される本体部４ｂとからなり、上辺側布部４ａは、前記した頭被い部２と同じ素材で形成され、下辺側布部４ｃは、頭被い部２の首部前面被い部２ｅと一体を成している。本体部４ｂは、メッシュ状生地、その他の柔軟性と通気性を有する生地によって形成される。この鼻口被い部４は、下辺部Ｃが頭被い部２と一体を成し、閉じた状態では左右辺部Ｂ，Ｂ側の夫々内面側がこれに対応する頭被い部２の外面側所要部に重なり合うように閉止されるから、頭被い部２との隙間を出来るだけ無くし、頭髪等の外部放出を有効に防ぐことができる。
【００１７】
図２〜図４に示すように、上記鼻口被い部４の左右両端部の夫々内面側上端部である上辺側布部４ａの内面側両端部には、例えば、プラスチック製の大リングからなるスナップボタン６ａが取り付けられ、この大リングからなるスナップボタン６ａの取付部に対応する頭被い部２の所要部、即ち側頭部被い部２ｄの顔面側部被い部分２ｄｇの上端部には、小リングからなるスナップボタン６ｂが取り付けられ、しかしてこれら大小一対のリングからなるスナップボタン６ａ，６ｂが前記固定手段６を構成する。
【００１８】
図１及び図２は、着用者の顔面の鼻及び口を被うように鼻口被い部４を閉じて、この鼻口被い部４の左右両端部の夫々内面側上端部にある大リングからなるスナップボタン６ａ，６ａを、側頭部被い部２ｄ，２ｄの顔面側部被い部分２ｄｇ，２ｄｇの夫々外面側上端部に取り付けた小リングからなるスナップボタン６ｂ，６ｂに夫々スナップ式に嵌め込むことにより、鼻口被い部４を閉じた状態で頭被い部２側に固定した状態を示し、図３は、上記のような大小一対のリングからなるスナップボタン６ａ，６ｂを互いに引き離して、鼻口被い部４をその下辺部Ｃのところから外側へ折り曲げることによって開放した状態を示している。尚、この実施形態では、鼻口被い部４の左右端部の内面側上端部にスナップボタン６ａを取り付け、側頭部被い部２ｄの顔面側部被い部分２ｄｇの外面側上端部にスナップボタン６ｂを取り付けているが、スナップボタン６ａ，６ｂは、鼻口被い部４の左右端部内面側の上端部から下端部にわたって、また顔面側部被い部分２ｄｇの外面側の上端部から下端部にわたって夫々複数個取り付けてもよい。
【００１９】
また、頭被い部２には、側頭部被い部２ｄ，２ｄ外側面の両耳対応箇所に、前記鼻口被い部４を図３に示すように開いた状態から着用者が図４に示すように任意に必要とする所要のマスク７を装着した時にそのマスク７の紐１２，１２を掛止するための紐掛止部８が設けられている。この紐掛止部８は、着用者が防塵フード１を被着して両耳が隠れても、その上からマスク７を装着して紐１２，１２を引っ掛けることができるようにしたものであって、この紐掛止部８は、図１〜図６に示すように、頭被い部２と同様な素材からなる布地を折り重ねて、例えば四角片８ａに形成すると共に、その四角片８ａの中央部分を、側頭部被い部２ｄ外側面の両耳対応部分に対し小さな四角形の四辺沿いに縫い付けることによって形成され、その縫付部を８ｂで示す。
【００２０】
従って、着用者が防塵フード１を被着した状態でマスク７を装着する時は、鼻口被い部４を図１及び図２に示すような閉じた状態から図３に示すように開放させて、この開放状態で、マスク７を図４に示すように着用者の鼻及び口を被うように装着し、その紐１２，１２を、側頭部被い部２ｄ，２ｄ外側面にある前記紐掛止部８，８に対して図４に示すように夫々引っ掛け、その後に鼻口被い部４を閉じ、固定手段６で固定することによって、図５に示すような状態となる。
【００２１】
このようにマスク７の紐１２，１２を、側頭部被い部２ｄ，２ｄ外側面の紐掛止部８，８に引っ掛けるようにするから、着用者が防塵フード１を被着して両耳が隠れてしまっても、マスク７を装着することができると共に、マスク７の紐１２が耳に直接押し付けられることがないため、着用者は耳に痛みを感じるようなことがない。
【００２２】
前記目出し開口部３は、図１〜図５に示すように、頭被い部２の前頭部被い部分２ａから左右両側頭部コメカミ被い部分２ｄｋ，２ｄｋにかけて下向きの湾曲状を成している湾曲状下側縁２ｏと、前記鼻口被い部４の僅かに上向き湾曲状の上側縁４ｏとの間に形成されるもので、湾曲状下側縁２ｏからネズミ返しのように下方へ湾曲状に突出して着用者の両眉を被う眉被い部材９が、前頭部被い部分２ａの下端部内面側に取り付けられている。「ネズミ返し」とは、もともと、穀物などの食料に対するネズミの被害から守るために、倉庫等の貯蔵施設に取り付けられる円弧状やアーチ状など湾曲状を成す邪魔板のことで、この邪魔板によってネズミの侵入を防ぎ、ネズミにとって居心地を悪くするものとされている。しかるに、上記眉被い部材９は、前頭部被い部分２ａの内面側に取り付けられて、前頭部被い部分２ａの下側縁２ｏから下方へ湾曲状に突出して、湾曲状の突出部を形成していることから、ネズミ返しのように形成されるものとしている。
【００２３】
上記のような眉被い部材９を設けた目的は、着用者の前頭部（額部）を被う前頭部被い部分２ａだけでは着用者の眉まで完全に被うことができず、従って眉毛が抜け落ちるようなこともあることから、頭髪や眉毛を１本でも頭被い部２の外へ放出させないようにすることであって、この眉被い部材９を、前頭部被い部分２ａの前記湾曲状下側縁２ｏから下方へネズミ返しのように湾曲状に突出形成したことにより、着用者の目に支障を来すことなく着用者の両眉を完全に被い隠すことができると共に、前髪のはみ出しを防ぐことができ、それにより頭髪や眉毛の外部放出を確実に防ぐことができる。
【００２４】
上記眉被い部材９を形成する方法の一例を図７の(a) 〜(c) によって説明する。先ず、(a) 及び(b) に示すように、伸縮性の良い横長矩形状の生地を適宜に折り重ねて横長帯状とした伸縮性帯状布片２１を、前頭部被い部分２ａの下端部（(a) による図示では上端部となっている）内面側に添うように配置し、この伸縮性帯状布片２１の左右端縁部と先端側縁部とを前頭部被い部分２ａの内面側下端縁部に縫い付け、その縫い目を２２，２３で示す。尚、図７の(a) は伸縮性帯状布片２１の配置状態を分かり易くするために、伸縮性帯状布片２１を同図の矢印Ｙ方向に引っ張って伸ばした状態を、前頭部被い部分２ａの内面側から見た正面図であり、(b) は(a) のＸ−Ｘ線断面図である。尚、図７の(a) 〜(c) において、２４は前頭部被い部分２ａの先端縁部を内側へ折り返した折返縁部を示す。
【００２５】
図７の(c) は、(a) の図示では引き伸ばした状態にあった伸縮性帯状布片２１が収縮して、その先端部側が湾曲状に変形し、この収縮変形に伴って前頭部被い部分２ａの下端部（(a) による図示では上端部となっている）が湾曲状に収縮した状態を、(a) と同じく前頭部被い部分２ａの内面側から見た正面図で示したものであり、そして(d) は、夫々湾曲状に収縮変形した伸縮性帯状布片２１及び前頭部被い部分２ａの下端部を、(c) とは内外反対向き、即ち前頭部被い部分２ａの外面側から見た正面図であって、湾曲状に収縮変形した前頭部被い部分２ａの湾曲状下端縁２ｏから、前記伸縮性帯状布片２１がネズミ返しのように下方へ湾曲状に突出して着用者の両眉を被う眉被い部材９を形成した状態を示している。
【００２６】
上述した眉被い部材９の形成方法は一例であって、これ以外の方法でも眉被い部材９を形成できるが、この方法によれば、柔軟性と伸縮性のある生地からなる帯状布片２１を用いることにより、前頭部被い部分２ａの下端縁２ｏを湾曲状（アーチ状）に収縮させて、前頭部被い部分２ａを着用者の額に添うような球面状に形成しながら、伸縮性帯状布片２１の湾曲状変形によって、着用者の眉毛を包み込むような眉被い部材９を形成するから、着用者の装着感を悪くすることがなく、頭髪や眉毛の外部放出を確実に防止できる。
【００２７】
また、図２〜図６に示すように、頭被い部２における左右両側頭部被い部２ｄ，２ｄの夫々耳対応箇所には、着用者がメガネ１０を掛ける時にメガネ１０のツル１０ａを挿入するためのメガネツル挿入部１１が形成されている。このメガネツル挿入部１１は、扁平な袋状になっていて、側頭部コメカミ被い部分２ｄｋの近くに差込口１１ａを形成し、そして前記紐掛止部９の近傍位置で側頭部被い部２ｄの内側に、メガネツル挿入部１１の出口１１ｂ（図６参照）を形成していて、差込口１１ａの上下方向幅が広く、出口１１ｂの上下方向幅が狭くなっている。このように、メガネツル挿入部１１の差込口１１ａを幅広くし、出口１１ｂの幅狭くしていることによって、メガネ１０を抜いた際に着用者の髪の毛を一緒に引っ張り出し難くする効果がある。
【００２８】
以上のような図１〜図５による実施形態の説明から分かるように、この防塵フード１において、鼻口被い部４は、その上辺部Ａと左右辺部Ｂ，Ｂとが頭被い部２から切り離されていて、その下辺部Ｃのところから外側へ折り曲げることにより開放状態となり、そして鼻口被い部４の左右両端部の夫々内面側上端部である上辺側布部４ａの内面側両端部を、頭被い部２の例えば側頭部被い部２ｄの顔面側部被い部分２ｄｇの外面側上端部に対し、固定手段６を介して固定することにより、閉じた状態に固定することができる。従って、着用者がマスク７を装着する時には、鼻口被い部４を開放させて、この開放状態でマスク７を装着して、その紐１２，１２を、側頭部被い部２ｄ，２ｄ外側面にある紐掛止部８，８に夫々引っ掛け、その後に鼻口被い部４を閉止すればよいから、着用者は、防塵フード１を被着して、両耳が隠れてしまった状態でも、マスク７を簡単、容易に装着でき、またマスク７の紐１２が耳に直接押し付けられることがないため、耳に痛みを感じるような不快感がないくなる。
【００２９】
鼻口被い部４を閉止状態に固定する固定手段６としては、頭髪などが付着し難く、着脱が容易なことから、スナップボタンが好ましく、特にこの実施形態で示したような大小一対のリングからなるスナップボタン６ａ，６ｂは、構造が簡単で、髪の毛などを巻き込むことが少ないので、より好ましい。尚、固定手段６として、マジックテープ（登録商標）を使用できるが、マジックテープ（登録商標）では、面ファスナーを構成するフック状部とパイル状部とが係脱する時にそれらの一部が折損するようなことがあり、その折損部分が異物として食品等に混入し易いこともあって、マジックテープ（登録商標）よりスナップボタン６ａ，６ｂの方が好ましい。
【符号の説明】
【００３０】
１            防塵フード
２            頭被い部
２ａ          前頭部被い部
２ｂ          頭頂部被い部
２ｃ          後頭部被い部
２ｄ          側頭部被い部
２ｄｋ        側頭部コメカミ被い部分
２ｄｇ        顔面側部被い部分２ｄｇ
２ｅ          首部前面被い部
２ｏ          前頭部被い部の湾曲状下側縁
３            目出し開口部
４            鼻口被い部
４ｏ          鼻口被い部の上側縁
５            スカート部
６            固定手段
７            マスク
８            紐掛止部
９            眉被い部材
１０          メガネ
１０ａ        メガネのツル
１１          メガネツル挿入部
１１ａ        差込部
１１ｂ        出口
１２          マスクの紐
【図１】
2014237907.tif 000003
【図２】
2014237907.tif 000004
【図３】
2014237907.tif 000005
【図４】
2014237907.tif 000006
【図５】
2014237907.tif 000007
【図６】
2014237907.tif 000008
【図７】
2014237907.tif 000009